(57)【要約】  搾汁装置用のモジュール式漉し器(100)が開示され、その漉し器は、第1エッジ領域(113)を有する第1突出部(112)のパターンを有する第1モジュール(110)と、第2エッジ領域(123)を有する第2突出部(122)のパターンを有する第2モジュール(120)であって、第2エッジ領域は、第1モジュールが第2モジュールに係合する場合に、隣の第1エッジ領域と接触し、各々の第1エッジ領域及び隣接する第2エッジ領域は、ジュースを通す複数の開口(150)を定める、第2モジュールとを有する。そのようなモジュール式漉し器を含む搾汁装置も開示される。
2017529926.tif 000002
【特許請求の範囲】
【請求項１】
搾汁装置用のモジュール式漉し器であって：
第1エッジ領域を有する第1突出部のパターンを有する第1モジュール；及び
第2エッジ領域を有する第2突出部のパターンを有する第2モジュールであって、前記第2エッジ領域は、前記第1モジュールが前記第2モジュールに係合する場合に、隣の第1エッジ領域と接触し、各々の第1エッジ領域及び隣接する第2エッジ領域は、ジュースを通す複数の開口を定める、第2モジュール；
を有するモジュール式漉し器。
【請求項２】
各々の第1エッジ領域が、前記開口を部分的に定める複数の切り欠きを含む、請求項1に記載のモジュール式漉し器。
【請求項３】
前記切り欠きが階段状の形状を有する、請求項2に記載のモジュール式漉し器。
【請求項４】
前記切り欠きが半球状の形状を有する、請求項2に記載のモジュール式漉し器。
【請求項５】
各々の第2エッジ領域が複数の別の切り欠きを含み、各々の開口は、前記第1モジュールが前記第2モジュールに係合する場合に、前記切り欠きのうちの何れかと前記別の切り欠きのうちの何れかとにより定められる、請求項2ないし4のうち何れか一項に記載のモジュール式漉し器。
【請求項６】
前記別の切り欠きは、前記切り欠きと同じ形状を有する、請求項5に記載のモジュール式漉し器。
【請求項７】
前記第1突出部はテーパーが付けられている、請求項1ないし6のうちの何れか一項に記載のモジュール式漉し器。
【請求項８】
個々のパターンは、波形パターンである、請求項1ないし7のうちの何れか一項に記載のモジュール式漉し器。
【請求項９】
前記第2モジュールは、前記第2突出部とは反対側に複数の別の第1突出部を更に含み、前記別の第1突出部の各々は別の第1エッジ領域を有し；
前記モジュール式漉し器は、別の第2エッジ領域を有する別の第2突出部のパターンを有する第3モジュールを更に有し、前記別の第2エッジ領域は、前記第2モジュールが前記第3モジュールに係合する場合に、隣の別の第1エッジ領域と接触し、各々の別の第1エッジ領域及び隣接する別の第2エッジ領域は、ジュースを通す複数の別の開口を定める、請求項1ないし8のうちの何れか一項に記載のモジュール式漉し器。
【請求項１０】
前記第1突出部が前記第1エッジ領域に隣接する第1リブを有し、及び/又は、前記第2突出部が前記第2エッジ領域に隣接する第2リブを有する、請求項1ないし9のうちの何れか一項に記載のモジュール式漉し器。
【請求項１１】
前記第1モジュールが前記第2モジュールに系合する場合に、前記第1リブが前記第2リブに隣接し、以て、前記開口が前記第1リブ及び前記第2リブにより定められる、請求項10に記載のモジュール式漉し器。
【請求項１２】
個々のモジュールを保持する支持ケージを更に有する、請求項1ないし11のうちの何れか一項に記載のモジュール式漉し器。
【請求項１３】
前記開口は0.1-0.6mmの範囲内で最大直径又は断面を有する、請求項1ないし12のうちの何れか一項に記載のモジュール式漉し器。
【請求項１４】
請求項1ないし13のうち何れか一項に記載のモジュール式漉し器を有する搾汁装置。
【請求項１５】
前記搾汁装置は垂直型又は水平型マスティケーティング・ジューサーである、請求項14に記載の搾汁装置。
【発明の詳細な説明】
【技術分野】
【０００１】
本発明は搾汁装置用のモジュール式漉し器(sieve)に関連し、モジュール式漉し器は、第1モジュールと、モジュール式漉し器を形成するように第1モジュールに係合する第2モジュールとを有する。
【０００２】
本発明はそのようなモジュール式漉し器を含む搾汁装置にも関連する。
【背景技術】
【０００３】
現代社会では健康な生活を目指す傾向がある。この目的のため、多くのカスタマーは健康食の一部として新鮮な産物を購入する傾向がある。そのような新鮮な産物の具体例は、果物や野菜などのような果汁/野菜汁入り食品からの絞りたてのジュースである。そのような新鮮な絞り汁は搾汁装置を利用して作られてもよく、搾汁装置の中には、食品を細かく切り刻むための細断要素が存在し、細断された食品からジュースを搾り出すために細断要素は漉し器と協働する。そのような新鮮な絞り汁は、市販のパッケージ化されたジュースよりも健康的であり且つ良い味であるように感じられ、市販のジュースは、新鮮さに乏しく且つ好ましくない添加物を含んでいるかもしれず、そのため、そのジュースはもはや純粋なジュースとは考えられない。
【０００４】
しかしながら、そのような搾汁装置を規則的に使用することに対する主な阻害要因の1つは、洗浄するプロセスである。特に、漉し器は洗浄が難しいことで有名であり、その理由は、例えば、ドロドロになった搾り取られた食品の固形部分は、漉し器の隙間に詰まり、そのような漉し器から取り除くことは容易でないからであり、例えば、その隙間は洗浄ブラシ又はパッドに対して小さすぎるので、隙間を突き抜けることは容易でないからである。この面倒な洗浄プロセスは、一般に、人が搾汁装置を使用することを断念させてしまう。
【０００５】
例えば、GB2,224,456(B)は、ジュースの収集部に配置される回転可能な裏ごし手段を有する遠心力ジュース抽出器を開示しており、裏ごし手段は、同軸状に構成される一対の裏ごしバスケットを有し、各バスケットは複数の壁部材を有し、壁部材の間に空間があり、一方のバスケットの壁部材は、他方のバスケットの空間に位置合わせされており、隣接する壁部材の間に裏ごしスロットを規定している。動作状態では、例えば内側バスケットである一方の裏ごしバスケットの壁部材は、例えば外側バスケットである他方の裏ごしバスケットの壁部材同士の間の空間に位置合わせされ、裏ごしスロットを形成する。ジュース抽出プロセスが終了した後、洗浄プロセスのために、バスケットは互いに分離される。しかしながら、壁部材の間にある空間は洗浄することが困難であることが判明しており；特に、これらの空間は主に包囲されているという事実に起因して、そのような空間は、ブラシ等のような洗浄器具を利用することによってしか洗浄できず、そのような洗浄は面倒であり且つ潜在的に危険でもあり、なぜなら、バスケットは、そのような全ての空間に手作業でアクセスするために、何度も手で操作されなければならないからである。
【発明の概要】
【０００６】
本発明は、より簡易に洗える搾汁装置用のモジュール式漉し器を提供することを目的とする。
【０００７】
本発明は、そのような漉し器を含む搾汁装置を提供することを別の目的とする。
【０００８】
一形態によれば、搾汁装置用のモジュール式漉し器が提供され、漉し器は、第1エッジ領域(又は第1端部領域)を有する第1突出部のパターンを有する第1モジュール；及び、第2エッジ領域(又は第2端部領域)を有する第2突出部のパターンを有する第2モジュールであって、第2エッジ領域は、第1モジュールが前記第2モジュールに係合する場合に、隣の第1エッジ領域と接触し、各々の第1エッジ領域及び隣接する第2エッジ領域は、ジュースを通す複数の隙間を定める、第2モジュール；を有するモジュール式漉し器である。
【０００９】
漉し器の協働するモジュールのうちの複数の突出部の隣接するエッジ領域により、ジュースが通過するように区切られる(すなわち、境界が規定される)開口又は孔、すなわち、漉し器を形成するように(複数の)モジュールが系合する場合に限って閉じられる又は完全になる開口を設けることは、バラバラになった形状で漉し器の洗浄を容易にし、その理由は、開口の境界が複数のエッジ突出部(すなわち、異なるモジュールの複数のエッジ部分)に分かれるからである。従って、漉し器が分解される又はバラバラにされると、各モジュールは開口の一部分しか含まないので、各開口は開放され、上記の一部分は、洗浄器具を必要とすることなく、例えばすすぎ洗いによって簡易に洗浄され、これにより、漉し器の洗浄プロセスを促進し、洗浄プロセスでの各モジュールに必要な手間を減らす。
【００１０】
各々の第1エッジ領域は、開口を部分的に区分する複数の切り欠き(cut-out)を含んでもよい。切り欠きは容易にすすぎ洗いできるので、特に、切り欠きが階段状又は半円状の形状を有する場合に、この形態は、第1エッジ領域の洗浄を容易にする。
【００１１】
各々の第2エッジ領域は複数の別の切り欠きを含んでもよく、各々の開口は、第1モジュールが第2モジュールに係合する場合に、切り欠きのうちの何れかと別の切り欠きのうちの何れかとにより定められる。この形態は、漉し器の洗浄を更に促進する。「別の切り欠き」は、対称的な(すなわち、規則的な)開口を形成するように、「切り欠き」と同じ形状を有してもよく、その開口は搾汁プロセスを支援する。
【００１２】
一実施形態では、組み立てられたモジュール式漉し器の隣接するエッジ領域の全長を長くするために、第1及び第2突出部は先細りになっており(テーパーが付けられている)、全長を長くすることは、より多くの開口が隣接するエッジ領域により定められるので、モジュール式漉し器の空隙率又はポロシティ(porosity)の増加を促す。
【００１３】
一形態では、個々のパターンが波形パターンである。この形態は、個々のモジュールのエッジ領域の全長を更に増やす点で特に相応しいパターンであり、そのため、漉し器のポロシティは、搾汁プロセスの最中に、より大きなジュース出力レートを促すように、増やされてもよい。
【００１４】
第2モジュールは、第2突出部とは反対側に複数の別の第1突出部を更に含み、別の第1突出部の各々は別の第1エッジ領域を有し、モジュール式漉し器は、別の第2エッジ領域を有する別の第2突出部のパターンを有する第3モジュールを更に有し、別の第2エッジ領域は、前記第2モジュールが前記第3モジュールに係合する場合に、隣の別の第1エッジ領域と接触し、各々の別の第1エッジ領域及び隣接する別の第2エッジ領域は、ジュースを通す複数の別の開口を定める。モジュール式漉し器に別のモジュールを追加することは、漉し器のポロシティを増やし、従って、搾汁装置で使用する場合に、モジュール式漉し器を通じてジュースが生成される速度を増加させる。
【００１５】
第2突出部及び別の第1突出部は同一形状を有していてもよい。
【００１６】
第1突出部は第1エッジ領域に隣接する第1リブを有し、及び/又は、第2突出部は第2エッジ領域に隣接する第2リブを有し、組み立てられたモジュール式漉し器を含む搾汁装置の動作中に、開口150の中に入り込んでしまうパルプ状食物の量を減らす。
【００１７】
モジュール式漉し器は個々のモジュールを保持する支持ケージを更に有してもよい。この形態は、ケージの中で組み立てられると、ケージは、様々なモジュールが互いに横向きに離れてしまうことを防ぐので、モジュール式漉し器の安定性を増やす。
【００１８】
別の形態によれば、上記の何れかの形態によるモジュール式漉し器を有する搾汁装置が提供される。そのような搾汁装置は、洗浄が一層容易になるという恩恵をもたらし、そのような装置についての顧客満足度を改善する可能性がある。
【００１９】
一実施形態では、搾汁装置は水平型のマスティケーティング・ジューサーである。
【００２０】
一実施形態では、搾汁装置は垂直型のマスティケーティング・ジューサーである。
【図面の簡単な説明】
【００２１】
本発明の実施形態は、添付図面を参照しながら詳細に且つ非限定的に説明される。
【図１】従来の搾汁装置の一形態を概略的に示す図。
【図２】一実施形態によるモジュール式漉し器の一部分を概略的に示す図。
【図３】図2のうちの一部分の一形態を概略的に示す図。
【図４】別の実施形態によるモジュール式漉し器の一部分を概略的に示す図。
【図５】一実施形態によるモジュール式漉し器の断面を概略的に示す図。
【図６】別の実施形態によるモジュール式漉し器の斜視図を概略的に示す図。
【図７】更に別の実施形態によるモジュール式漉し器の斜視図を概略的に示す図。
【図８】更に別の実施形態によるモジュール式漉し器の斜視図を概略的に示す図。
【図９】更に別の実施形態によるモジュール式漉し器の斜視図を概略的に示す図。
【発明を実施するための形態】
【００２２】
図面は単なる概略であるに過ぎず、寸法を描いたものではないことが、理解されるべきである。同一又は類似するパーツを示すために各図を通じて同じ参照番号が使用されることも理解されるべきである。
【００２３】
図1は既存の搾汁装置1(ここでは、遠心力搾汁装置)を概略的に示す。そのような搾汁装置1は、回転体3を有するハウジング2を有し、回転体3はハウジング2の中で回転可能に配置される。回転体3は、ベース4、ベース4の上面に配置される卸し器5、及び漉し器6を有し、漉し器6は、ベース4を囲むように立ち上がって円錐形状に外方に広がり、果物又は野菜を受ける容器(chamber)7を形成する。円筒状案内部8は果物を容器内に供給し、ジュース取り出し口9は、漉し器6を介して出てくるジュースを受けるように漉し器6の外側の面に沿って形成され、パルプ取り出し口11は、容器7から出てくるパルプ(パルプ状にドロドロになったもの)を受けるように、漉し器の上端部に形成される。
【００２４】
回転体3がモーター12により回転させられると、漉し器6及び卸し器5が回転する。ジュースに含まれる果物及び野菜は、案内部8により卸し器5まで案内され、パルプ及びジュースに還元される。パルプ及びジュースは、以後、回転体3の遠心力により放射状に外方に押し出される。漉し器6は、複数の孔又は穿孔13を有し、その孔を通じてジュースは押し流されるが、パルプは回転体3の中に留まり、そのため、ジュースは、パルプから分離されてジュース取り出し口9に流れる。パルプは、容器7の中に留まり、パルプ取り出し口11の方へ上方に押し出される。
【００２５】
上述したように、そのような搾汁装置1に特有の欠点は、漉し器6を洗うことに関連する困難性である。本発明の実施形態は、搾汁装置1のための又は回転する漉し器又は静的な漉し器を有する適切な他の任意のタイプの搾汁装置のための、モジュール式漉し器を提供することを目的とし、その搾汁装置は、例えば、回転オーガー(回転する螺旋状の刃)及び静的な漉し器を有する適切な任意の水平又は垂直型の咬合(masting)搾汁装置であってよく、その場合、モジュール式漉し器は少ない手間で洗浄され、洗浄ブラシのような洗浄器具を要しない。
【００２６】
図2は、そのような搾汁装置で使用する実施形態によるモジュール式漉し器100の一例を概略的に示す。モジュール式漉し器100は第1モジュール110及び第2モジュール120を有し、第1モジュール110は、第1モジュール110の本体から延びる複数の第1突出部112を含み、第2モジュール120は、第2モジュール120の本体から延びる複数の第2突出部122を含む。第1突出部112及び第2突出部122は、第1モジュール110が第2モジュールと系合する場合に、それらの突出部が交互に噛み合うように(interleaved)、形成されている。すなわち、第1突出部112の第1エッジ領域113と第2突出部122の第2エッジ領域123とは、隣接する形式で互いに協力し合うことで、境界線115を規定する。
【００２７】
これは図3において更に明確に描かれており、図3は、第1突出部112の第1エッジ領域113が、第2突出部122の第2エッジ領域123と系合している場合の様子を概略的に示す。この形態では、第1エッジ領域113は複数の半球状の切り欠き114を有し、第2エッジ領域123は複数の半球状の別の切り欠き124を有し、切り欠き114と別の切り欠き124とは組み合わさって、第1エッジ領域113及び第2エッジ領域123の間の境界線上で複数の円形の開口(又は隙間)150を規定する。すなわち、開口150は、切り欠き114により部分的に及び別の切り欠き124により部分的に区切られ、そのため、第1モジュール110が第2モジュール120に係合するような場合に限って開口150が存在するようになる。
【００２８】
第1モジュール110を第2モジュール120から離してバラバラにすると、開口150は、第1エッジ領域113における切り欠き114と、第2エッジ領域123における別の切り欠き124とにそれぞれ分かれ、それらの切り欠きは、第1モジュール110及び第2モジュール120を単にすすぎ洗いすることによってきれいになり、そのようにきれいになるのは、開口150が複数の開いた構造に分解されるという事実に起因しており、すなわち、開口部分はしっかりとは包囲されておらず、分解される事実は、パルプ状の食べ物(すなわち、食物繊維など)が詰まりにくいことを意味する。
【００２９】
この場合において、図3では、非限定的な単なる具体例として、第1エッジ領域113及び第2エッジ領域123の双方が切り欠きを有していることに留意を要する。例えば、第1突出部112及び第2突出部122のうちの何れかが連続的なエッジ領域を含むことも等しく実現可能であり、その場合、開口150は、何れかのエッジ領域における切り欠きと、隣接するエッジ領域の連続的な又は直線的な部分とによって境界を定められることになる。更に、切り欠き114及び別の切り欠き124は、非限定的な具体例として、半球状の形状を有するように示されているに過ぎない。
【００３０】
切り欠きは適切な任意の形状を有してもよいこと、及び、切り欠き114は別の切り欠き124と同一形状又は相違する形状を有してよいことが、理解されるべきである。例えば、図4は、代替的な実施形態によるモジュール式漉し器100の一形態を概略的に示し、第1突出部112の第1エッジ領域113における半球状の切り欠きと、第2突出部122の第2エッジ領域123における半球状の切り欠きとは、階段状の切り欠きで置換されており、そのため、第1モジュール110が第2モジュール120に系合し、第1エッジ領域113が第2エッジ領域123に隣接する場合に、長方形のような細長い開口150又は正方形の開口150が形成される。
【００３１】
再び図3に関し、切り欠き114及び別の切り欠き124は、組み立てられて使用される場合に、モジュール式漉し器100をパルプ状の食べ物が通過してしまうことを防止するような適切な任意の寸法を有してよい。例えば、半球状の切り欠きの場合、切り欠きは、0.1-0.3mmの範囲内の半径rを有してもよく、例えば約0.1ないし0.2mmであってもよい。隣接する切り欠きは、距離l(エル)だけ隔てられており、距離lは、組み立てられた場合に、モジュール式漉し器100のポロシティ(porosity)を規定するように、上記の半径との組み合わせにより選択されてよい。例えば、モジュール式漉し器100のポロシティは、距離lを減らすことにより増やされ、距離lを増やすことにより減らされてもよい。一実施形態ではr=lである。代替的な実施形態では、r<lである。更に別の実施形態では、r>lである。本願の文脈では、モジュール式漉し器100のポロシティは、モジュール式漉し器100の全表面積に対する、ジュースがモジュール式漉し器100を抜け出すことが可能な割合として定義され、例えば、全表面積のうち、開口150によって規定される部分により定義される。
【００３２】
再び図2に関し、組み立てられた場合のモジュール式漉し器100のポロシティは、第1エッジ領域113と第2エッジ領域123との間の境界115の全長を増やすように、第1モジュール110の第1突出部112と第2モジュール120の第2突出部122との形状を選択することにより、増やされてもよいことに留意を要する。一実施形態において、境界115の長さを増やすために、第1突出部112は、第1モジュール110の本体から先細りに延びてもよく(テーパーが付いていてもよく)、第2突出部122は、第2モジュール120の本体から先細りに延びていてもよい。
【００３３】
図5に概略的に示される特に有利な実施形態では、第1突出部112及び第2突出部122の各々が突出部150の波形パターンを規定するように形成され、その場合、第1突出部112及び第2突出部122の全体的な形状は、それぞれ、そのような波形(例えば、正弦波)を規定し、境界115の長さを更に増やす。第1突出部112により規定される波形パターンは、第2突出部122により規定される波形パターンに対して相補的であるべきであり、そのため、上述したようにこれらの突出部は互いに系合して境界線115を規定できるようになることは、明白であろう。
【００３４】
図5に示されるように、第1モジュール110は第1アライメント部材116を有し、第2モジュール120は第2アライメント部材126を有し、第1アライメント部材116と第2アライメント部材126とは、第1モジュール110が第2モジュール120と契合される場合に、互いに係合するように設計されている。これは、例えば、第1モジュール110に対する第2モジュール120の偶発的なズレのおそれを減らし又はそれを防止することさえ行い、偶発的なズレは、例えば、モジュール式漉し器100の偶発的な分解に起因する。この問題に対処するため、第1アライメント部材116及び第2アライメント部材126のうちの一方が、第1アライメント部材116及び第2アライメント部材126のうちの他方にある収容部に係合する突出部を有していてもよく、突出部と収容部とがぴったりとはまることは、系合により設定され、それにより、第1モジュール110を第2モジュール120から引き離すには、或る程度の大きさの力が必要になる。第1モジュール110と第2モジュール120とを互いに対して固定する適切な他の構成は、当業者にとって直ちに明らかになるであろう。
【００３５】
図5においては、第1モジュール110と第2モジュール120とは更に複数のリブ160を有し、複数のリブ160は、第1モジュール110が第2モジュール120に係合すると、リブ160の或るパターンを形成するように整合する。そのようなリブ160は、例えば、マスティケーティング(又は石臼式)ジューサーの静的な漉し器に使用される場合に特に有用である。リブ160は、組み立てられた場合に、モジュール式漉し器100の内側表面に配置されてよい。リブ160は、そのようなマスティケーティング・ジューサーの搾汁プロセスの間に、パルプ状食物が、螺旋状回転刃の回転を追いかけてしまうことを防止することを支援し、これにより、そのようなパルプで開口150を汚してしまうことを軽減するとともに、軸方向での、すなわちリブ160に沿って、例えば搾汁装置のパルプ取り出し口の方への食物の移動を支援する。従って、これは第1モジュール110及び第2モジュール120の洗浄のしやすさを増やす。
【００３６】
この場合において、モジュール式漉し器100は、一対のモジュールに必ずしも限定されず、すなわち、第1モジュール110及び第2モジュール120に限定されないことに留意を要する。一実施形態では、モジュール式漉し器100は、別のモジュールにより拡大されてもよく、例えば、モジュール式漉し器100のポロシティを更に増やす、或いは、モジュール式漉し器100のうちジュースが抜け出る開口の総数を少なくとも増やす。
【００３７】
図6にはモジュール式漉し器100の実施例が概略的に示されており、この図では第3モジュール130が第2モジュール120に係合するように存在している。このため、第2モジュール120は、第2突出部122と反対側にある別の複数の第1突出部127を有し、すなわち、別の複数の第1突出部127は第2モジュール120の本体の反対側の領域から反対方向に延びている。別の第1突出部127の各々は、別の第1エッジ領域128を有する。第3モジュール130は、別の第2エッジ領域138を有する別の第2突出部137の或るパターンを有し、別の第2エッジ領域138は、第2のジュール120が第3モジュール130と係合する場合に、別の第1エッジ領域128に隣接する。
【００３８】
図6に示されるように、別の第1エッジ領域128は複数の切り欠きを有し、その複数の切り欠きは、第2のジュール120が第3モジュール130と係合する場合に、別の複数の開口152を規定する。すなわち、別の開口152は、典型的には、第2のジュール120が第3モジュール130と係合する場合に、別の第1エッジ領域128と別の第2エッジ領域138とにより区分され(開口の境界が定められる)、上述したものと同様に、第3モジュール130が第2モジュール120から別々にされる場合に、別の開口152も分かれる。
【００３９】
図6においては、非限定的な一例として、第2モジュール120の別の第1エッジ領域128のみが切り欠きを含んでいる。第3モジュール130の別の第2エッジ領域138のみがそのような切り欠きを含むこと、或いは、別の第1エッジ領域128及び別の第2エッジ領域138の双方がそのような切り欠きを含み、それにより、開口152が上述したようにこれらのエッジ領域にある個々の切り欠きによって規定されることも等しく実現可能であることが、理解されるべきである。
【００４０】
更に、図6においては、第2突出部122と別の第1突出部127とは例えば波形パターン形状のような同一の形状を有するが、第2突出部122と別の第1突出部127とは異なる形状を有することも等しく実現可能であることが理解されるべきである。図6の教示に従って、例えば、モジュール式漉し器100に別のモジュールが追加されてもよいことが、更に理解されるべきである。
【００４１】
例えば、第1モジュール110、第2モジュール120及び選択的な別のモジュール(例えば、第3モジュール130)等のようなモジュール式漉し器100の個々のモジュールは、適切な任意の材料で形成されてもよいが、食洗機で洗える材料であることが好ましい。例えば、適切な材料は、プラスチック、金属、ステンレス鋼のような金属合金などを含む。モジュールは好ましくは同じ材料で形成されるが、異なるモジュールが異なる材料で形成されることも実現可能である。
【００４２】
モジュール式漉し器100を組み立てる場合に、モジュール式漉し器100の様々なモジュールを固定するために、様々なモジュールは、図7に概略的に示されるようにバスケット50の中に配置されてもよい。バスケット50は、典型的には、モジュール式漉し器100の様々なモジュールがバスケット50の中にぴったりとフィットするような寸法にされており、これにより、個々のモジュールが互いに、横向きにズレてしまうこと(例えば偶発的にバラバラになってしまうこと)を防止する。バスケット50は、バスケット50内に、モジュール式漉し器100の様々なモジュールを収容するためのリブ52を選択的に含んでもよい。
【００４３】
バスケット50及び選択的なリブ52は適切な任意の材料で形成されてもよく、例えば、適切な材料は、プラスチック、金属、ステンレス鋼のような金属合金などを含む。一実施形態では、バスケット50及び選択的なリブ52は、モジュール式漉し器100の様々なモジュールと同じ材料で形成される。図7では、オーガー(螺旋状の刃)も示されており；モジュール式漉し器100が上述したようなマスティケーティング・ジューサーの静的な漉し器である場合に、そのようなオーガーがモジュール式漉し器100に挿入されてもよく、その場合、オーガー60は搾汁装置1のモーター12と系合し、モーター12は、搾汁装置1とともに実行される搾汁プロセスの間、組み立てられたモジュール式漉し器100の中で回転する。
【００４４】
図8は、図5に示されるようなモジュール式漉し器100の代替例を概略的に示し、リブ160が、第1モジュール110の第1突出部112における第1リブ261と、第2モジュール120の第2突出部122における第2リブ262とで置換されており、第1リブ261及び第2リブ262は、第1モジュール110が第2モジュールと系合する場合に、これらのリブが、第1エッジ領域113と隣接する第2エッジ領域123とで規定される境界線115の直前に位置するように、配置される。「直前に(immediately  in  front)」とは、搾汁装置1に搭載される場合に、オーガーの回転方向との関連で使用されることが、理解されるべきである。
【００４５】
言い換えれば、オーガー60の回転の最中に、境界線115のうち上記のセクションは、第1リブ261及び第2リブ262の何れかに対して真後ろにある(すなわち、風下(leeward)又は下流側にある)。これは、パルプ状の食べ物が開口150に入り込んでしまうことを大幅に防止し、なぜなら、第1リブ261及び第2リブ262は、搾汁装置100の動作中、パルプを開口150の上方に強制するからであり、その一方で、動作中に生じる圧力に起因して、ジュースは依然としてモジュール式漉し器から抜け出すことが可能である。更に、リブ261及び262は、パルプを軸方向へ、例えば、搾汁装置のパルプ取り出し口の方へ方向付けることを支援する。
【００４６】
図9は、図5に示されるようなモジュール式漉し器100の更に異なる代替例を概略的に示し、リブ160が、第1突出部112のエッジに沿う第1リブ212と、第2突出部122のエッジに沿う第2リブ22とで置換されている。この実施形態では、境界115は、第1リブ212が第2リブ222に隣接することにより規定され、これにより、モジュール式漉し器100の内側表面から突出する(又は隆起した)境界115を形成する。この形態では、エッジ領域113及び123がそれぞれ第1リブ212及び第2リブ222の一部を形成し、そのため、開口150は第1リブ212及び第2リブ222により区切られる。境界115の隆起する量は、第1リブ212及び第2リブ222の高さによって決定される。この高さは、オーガー60が隆起して上昇した境界115を擦るように選択され、それにより、繊維のような食物パルプが、オーガー60により削り取られるようにする。従って、この形態は、開口150にこびり付く食物パルプの量を減らし、それにより、第1モジュール110及び第2モジュール120は更に容易に洗浄できるようになる。
【００４７】
上記の実施形態は本発明の限定ではないように説明されていること、及び、当業者は、添付の特許請求の範囲から逸脱することなく、多くの代替的な実施形態の設計が可能であること、に留意すべきである。特許請求の範囲において、括弧内に記載される如何なる参照符号も、請求項を限定するように解釈されてはならない。「有する(comprising)」という言葉は、請求項に列挙されているもの以外の要素又はステップの存在を排除していない。要素に先行する「ある」又は「或る」(“a”  or  “an”)という語は、そのような用度が複数個存在することを排除していない。本発明は、複数の個別的な要素を有するハードウェアを用いて実現されることが可能である。複数の手段を列挙する装置の請求項において、それらの手段のうち幾つかが、1つの同じハードウェア・アイテムにより具現化されることが可能である。何らかの複数の事項が違いに異なる従属請求項で引用されているという単なるそれだけの事実は、これらの事項の組み合わせが有益に利用できないことを示すものではない。
【図１】
2017529926.tif 000003
【図２】
2017529926.tif 000004
【図３】
2017529926.tif 000005
【図４】
2017529926.tif 000006
【図５】
2017529926.tif 000007
【図６】
2017529926.tif 000008
【図７】
2017529926.tif 000009
【図８】
2017529926.tif 000010
【図９】
2017529926.tif 000011
【国際調査報告】
2017529926.tif 000012
2017529926.tif 000013